(57)【要約】      （修正有）【課題】ハンドスピナーに強力磁石を埋め込み、回転させることにより、安価で磁気の効果として、肩こりの緩和や筋膜リリースなどの効果が得られる非接触磁気回転治療具を提供する。【解決手段】ハンドスピナーの回転体１の先端部に強力な磁石２（例えばネオジウム磁石）を埋め込み、回転体を指やモータで回転させ、患部に接触することなく保持し、また、背中の患部など、ハンドスピナーが届かないところでも、ハンドキャッチャーなどで患部に保持することができ、ほぼ永久的に磁力を保つことができるので、容易にかつ長年使用でき、安価に患部の緩和に役立つ。【選択図】図１０
0003214790.tif 000002
【実用新案登録請求の範囲】
【請求項１】
磁石の回転手段を既製品のハンドスピナーとし、該ハンドスピナーの回転部である先端部にそれぞれ強力磁石を固着した、該ハンドスピナーに回転を与え、患部に接触することなく、磁気治療ができることを特徴とした、非接触磁気回転治療具に関する。
【請求項２】
請求項１の回転手段をモータで回転することを特徴とした、非接触磁気回転治療具に関する。
【考案の詳細な説明】
【技術分野】
【０００１】    本考案は、いわゆるハンドスピナーの回転体の先端に近接した場所に強力磁石（例えばネオジウム磁石）を埋め込んだ非接触回転体磁気治療具に関する。
【背景技術】
【０００２】  従来の肩こりや筋膜の痛みを緩和するため、磁気による治療として、小さな磁石を直接肌に貼着するものや磁力を持つネックレスなどがあった。【０００３】特に磁石を直接肌に貼着するものでは、数か所のいわゆるツボに長時間貼着するので、皮膚の弱い人では、かぶれることがあった。【０００４】磁気ネックレスでは、多くの磁石を使用するため、高価なものになっていた。
【考案の概要】
【考案が解決しようとする課題】
【０００５】    本考案は、このような欠点を解消するため考案したもので、いわゆるハンドスピナーに強力磁石を埋め込み、回転させることにより、安価で磁気の効果として、肩こりの緩和や筋膜リリースなどの効果が得られることを課題とした。
【課題を解決するための手段】
【０００６】前記課題を解決するために、先ず回転体である、いわゆるハンドスピナーの回転体の先端部に強力な磁石（例えばネオジウム磁石）を埋め込み、該回転体を指で回転させ、患部に接触することなく保持し、また、背中など患部などでは、当該ハンドスピナーが届かないところでも、いわゆるハンドキャッチャーなどで患部に保持することができ、ほぼ永久的に磁力を保つことができるので、容易にかつ長年使用でき、安価に患部の緩和に役立ち、当該課題を全て解決するものである。
【考案の効果】
【０００７】  本考案はこのように構成されているので、回転手段の一実施例として、いわゆるハンドスピナーの回転体の先端部に強力磁石を埋め込み、回転させて、患部に近づけると、非接触のため、磁力が１点ではなく回転体周辺範囲になるので、服の上からでも、患部の緩和ができることが出来た。【０００８】また、背中など手の届かないところでは、いわゆるハンドキャッチャー（図示せず）で挟持し、患部に近づけることが出来た。【０００９】該ハンドスピナーの回転動力は、指で回転させるので、電池やモータなどが不要であるが、回転手段として、例えば、電動歯ブラシ（図示せず）の先端部を改造して磁石を持つ回転体を固定し、前記同様の効果が得られる。【００１０】このように、磁石を持つ回転体を患部に近接するとことにより、痛みやコリなどの緩和効果が得られる。
【図面の簡単な説明】
【００１１】
【図１】、１実施例である、本考案の平面から見た図である。
【００１２】
【図２】、図１の正面から見た図である。
【００１３】
【図３】、前記図１の底面図である。
【００１４】
【図４】  前記図２の右から見た側面図である。
【００１５】
【図５】、前記図２に示すＡ−Ａ断面図である。
【００１６】
【図６】、本考案の斜視図である。
【００１７】
【図７】、本考案の分解斜視図である。
【００１８】
【図８】、磁石のＮ極とＳ極の配列を示したもので、（ａ）では、表面側を全ての磁石をＮ極に配列し、（ｂ）では、１箇所Ｓ極とし、２箇所をＮ極に配列した図である。
【００１９】
【図９】、他の実施例として、回転体の腕部を（ａ）では、４本にしたもので、（ｂ）では、回転体の腕部を５本にしたもので、（ｃ）は回転体の三方向の先端を球体を持ち、該球体に磁石を埋め込んだ状態の他の実施例を示すものである。
【００２０】
【図１０】、１実施例である、ハンドスピナーに磁石を埋め込み、人差し指と親指で挟んで、回転体を回転させている状態を示すものである。
【考案を実施するための形態】
【００２１】本考案を図面に従って、詳しく説明すると、図１から図７は、一般的ないわゆるハンドスピナーに磁石を埋め込んだ一実施例を示すものである。
【００２２】図７で示すように、本考案の分解斜視図で説明すると、本考案全体１０は、回転体本体１の中央部の孔１４にベアリング９を篏合させ、該孔１４周囲には、ベアリング９が抜け出せないための薄い環状板が突出して設けられている。
【００２３】本体１の三方向に伸びた腕４の先端部には小さな円柱状の強力磁石２が埋め込まれて、それぞれの腕４の凹部３に前記強力磁石を貼着固定する。
【００２４】該回転体１の上下には、円盤状の回転体支持部５と７で挟み、ベアリング９の内側空間１６に前記支持板７の中央部には、ねじ穴１２を設け、前記本体１の上部にある、凸部ボルト１１と螺合し、本体１が、前記ベアリング９により回転可能となった。
【００２５】前記回転体は、通常指などで回転を加えると、通常１分間位回り続けるので、回転状態により患部に接触しない距離を保持する。
【００２６】この使用状態は、図１０で示すように、手Ｈの人差し指と親指で、回転体１の中央部にある凸部状の回転軸支持材５と７を挟んで、回転方向Ｒに回転を加えると、磁力Ｇが放出しながら回転することになり、患部に直接接触しないので、服の上からでも、磁力Ｇの効果は得られる。
【００２７】図１は、本考案全体１０を上から見た平面図で、小さな円柱状の強力磁石２が本体１の三方向に伸びた腕４に設けられた凹部３に嵌合固着されている。
【００２８】該強力磁石２は、本体１の裏面（患部側）に嵌合固着されているが、磁力の効果としては、表側でも変わりない。
【００２９】図４の断面図は、図２で示すＡ−Ａ断面図で、本考案全体１０の本体１の断面図において、本体１の中心部にベアリング９を篏合する孔１４があり、前記図７で示す、ベアリング９が抜け落ちない段部１５が設けられている。
【００３０】上方の回転支持部５には突起状の雄ねじがあり、下方の回転支持部７には、円筒状の突起を持ち、内側には雌ねじが設けられ、前記上部回転支持部の雄ねじと螺合し、回転体１は、ベアリング９により回転可能となった。
【００３１】図４に示すベアリング９は、一般的なベアリングの図であるが、その他様々なベアリングでも可能である。
【００３２】図８に示す回転体１に埋め込まれた円柱状の強力磁石の配列について、（ａ）では全極をＮ極とし、（ｂ）では、１個をＳ極とし、他の２箇所をＮ極にした図を示すもので、配列に関しては、その他のものでも考えられるが、図示していない。
【００３３】図９では、回転体のその他の実施例を示すもので、（ａ）は、十字形の腕を持つ回転体２０、（ｂ）は、五本の腕を持つ回転体３０、（ｃ）は回転体４３から三方向に伸びた棒状体４１の先端に球体４３を取り付け、該球体に強力磁石２を埋め込んだものであるが、回転体の形状は、いろいろ考えられるので、一部の形状を示した。
【００３４】本考案では、磁石の回転手段として、いわゆるハンドスピナーを利用したが、前述したように、いわゆる先が回転する電動歯ブラシの先端を改造して、磁石を持つ回転体として使用することも可能である。
【主な符号の説明】
【００３５】１・・・・・・回転体本体
２・・・・・・強力磁石
３・・・・・・篏合凹部
４・・・・・・腕部
５・・・・・・上方支持部
７・・・・・・下方支持部
９・・・・・・ベアリング
１０・・・・・本考案全体
１１・・・・・雄ねじ
１２・・・・・雌ねじ
１３・・・・・円筒部
１４・・・・・ベアリング挿入部
１５・・・・・ベアリング抜け防止環状突起
１６・・・・・円筒挿通孔
２０・・・・・十字形回転体
３０・・・・・五本形回転体
４０・・・・・三方向球体回転体
Ｈ・・・・・・手
Ｇ・・・・・・磁力
Ｒ・・・・・・回転方向
【図１】
0003214790.tif 000003
【図２】
0003214790.tif 000004
【図３】
0003214790.tif 000005
【図４】
0003214790.tif 000006
【図５】
0003214790.tif 000007
【図６】
0003214790.tif 000008
【図７】
0003214790.tif 000009
【図８】
0003214790.tif 000010
【図９】
0003214790.tif 000011
【図１０】
0003214790.tif 000012
【手続補正書】
【提出日】平成29年11月15日(2017.11.15)
【手続補正１】
【補正対象書類名】実用新案登録請求の範囲
【補正対象項目名】全文
【補正方法】変更
【補正の内容】
【実用新案登録請求の範囲】
【請求項１】
磁石の回転手段をハンドスピナーとし、該ハンドスピナーの回転部である先端部にそれぞれ強力磁石を固着した、該ハンドスピナーに回転を与え、患部に接触することなく、磁気治療ができることを特徴とした非接触磁気回転治療具。
【請求項２】
前記回転手段をモータで回転することを特徴とした、請求項１に記載の非接触磁気回転治療具。